(57)【要約】【課題】バンド巻き付け時において、被梱包物のコーナー部が変形、破損するのを防止することができるバンド掛け用コーナー補強材を提供する。【解決手段】長尺の補強材１を、バンドＢの幅に応じて、任意位置に形成した分離線３に沿って長さ方向に対して折り曲げ、バンドＢが巻き付けられる被梱包物Ａのコーナー部Ａａ外面を保護するのに適したサイズに分離する。長尺の補強材１から分離した各補強材１ａ…を、折り曲げ線２に沿って被梱包物Ａの各コーナー部Ａａ…外面と対応して略直角に折り曲げ、バンドＢが巻き付けられる被梱包物Ａの各コーナー部Ａａ…外面に装着した後、複数本の各バンドＢ…を、被梱包物Ａの各コーナー部Ａａ…に装着した各補強材１…上に巻き付けて締付け固定する。【選択図】  図１
2006327665.tif 000002
【特許請求の範囲】
【請求項１】
被梱包物の外周に対してバンドを巻き付ける際に、該被梱包物の保護すべきコーナー部外面に装着される補強材であって、
上記バンドの巻き付け時に付与される締付け力により変形しない程度の剛性を有する長尺補強材の幅方向中央部に、上記被梱包物のコーナー部外面と対応する角度に折り曲げが許容される折り曲げ線を該長尺補強材の長さ方向に形成し、
上記長尺補強材の長さ方向に対する折り曲げ動作により分離が許容される分離線を該長尺補強材の幅方向に形成するとともに、該分離線を長尺補強材の長さ方向に対して上記バンドとコーナー部との接触が回避されるサイズの補強材に分離可能な間隔に隔てて複数形成した
バンド掛け用コーナー補強材。
【請求項２】
上記折り曲げ線の深さを、上記補強材自体の肉厚に対して略５％〜略８０％以内の残厚に設定した
請求項１に記載のバンド掛け用コーナー補強材。
【請求項３】
上記分離線を、上記補強材の折り曲げ動作により分離が許容されるミシン目で構成した
請求項１又は２に記載のバンド掛け用コーナー補強材。
【請求項４】
上記分離線を、上記補強材の長さ方向に対して、上記折り曲げ線に対して略斜め方向に交差するように形成した
請求項１乃至３のいずれか一つに記載のバンド掛け用コーナー補強材。
【請求項５】
上記分離線を、様々な幅を有するバンドに応じて分離可能な任意間隔に隔てて形成した
請求項１乃至４のいずれか一つに記載のバンド掛け用コーナー補強材。
【請求項６】
上記補強材を、例えば厚紙、生分解性樹脂、合成樹脂再生原料、紙＋合成樹脂再生原料、木粉＋合成樹脂、木粉＋生分解性樹脂、紙粉＋生分解性樹脂等の単一又は複合した材質で構成した
請求項１乃至５のいずれか一つに記載のバンド掛け用コーナー補強材。
【請求項７】
上記補強材上に巻き付けられるバンドを中心として該バンドの長手側両縁部と対向する補強材表面の対称位置に、該バンドの巻き付けが許容される間隔に隔てて一対の凸状規制部を形成した
請求項１乃至６のいずれか一つに記載のバンド掛け用コーナー補強材。
【請求項８】
上記バンドと対向する補強材表面に、該バンドを補強材上に巻き付けられた状態に維持するのに必要な接触抵抗を付与する接触抵抗付与部を形成した
請求項１乃至７のいずれか一つに記載のバンド掛け用コーナー補強材。
【請求項９】
上記被梱包物のコーナー部外面と対向する補強材裏面に、該コーナー部外面に対して補強材を装着した状態に固定する装着状態維持部を設けた
請求項１乃至８のいずれか一つに記載のバンド掛け用コーナー補強材。
【発明の詳細な説明】
【技術分野】
【０００１】
この発明は、例えばパレット上に積載された商品収容済みの段ボール箱、合成樹脂や金属製の容器、あるいは、多数枚のシートを積層してなる積層物等の被梱包物の外周をバンドにより締付け固定する際に、バンドが巻き付けられる被梱包物の保護すべきコーナー部が変形、破損するのを防止するために用いられるバンド掛け用コーナー補強材に関する。
【背景技術】
【０００２】
従来、上述のような補強材としては、例えば段ボール板を適当な大きさに切断してなる補強材あるいは紙製のアングル形状を適当な長さに切断してなる補強材を略直角に折り曲げてコーナー部外面に装着するが、梱包作業をスピーディに行う上で、従来の補強材では、例えばカッター、ハサミ、ノコギリ等の切断具を使用して適当なサイズに切断しなければならず、切断作業に手間及び時間が掛かる。また、略直角を有するコーナー部外面と対応する角度に折り曲げにくく、現場でのバンド巻き付け作業が迅速に行えない。また、バンドを強く巻き付けると、段ボール板自体が変形する欠点がある。
【０００３】
上記以外の補強材としては、例えばギャザ部付き包装シートを被包装体の外面に巻き付けて保護する特許文献１のギャザ付包装シートと、パネル部材の両端部に装着した両端部用パッド上及びパネル部材の側端部に装着した側端部用パッド上に、複数本の各バンドを巻き付けて梱包する特許文献２のパネル部材用包装材とがあるが、バンドの幅に応じて分離されるものではなく、様々な幅を有するバンドに対応して、複数サイズの補強材を予め製造及び準備しなければならず、現場において、複数の補強材の中から、バンドの幅に応じたものを選択しなければならず、作業性が悪い。
【０００４】
【特許文献１】特開平６−９２３６８号公報
【特許文献２】特開平１１−１２４１９０号公報
【発明の開示】
【発明が解決しようとする課題】
【０００５】
この発明は上記問題に鑑み、バンド巻き付け時において、被梱包物のコーナー部が変形、破損するのを防止し、所定の形状及び形態を維持することができるバンド掛け用コーナー補強材の提供を目的とする。
【課題を解決するための手段】
【０００６】
請求項１に記載した発明のバンド掛け用コーナー補強材は、被梱包物の外周に対してバンドを巻き付ける際に、該被梱包物の保護すべきコーナー部外面に装着される補強材であって、上記バンドの巻き付け時に付与される締付け力により変形しない程度の剛性を有する長尺補強材の幅方向中央部に、上記被梱包物のコーナー部外面と対応する角度に折り曲げが許容される折り曲げ線を該長尺補強材の長さ方向に形成し、上記長尺補強材の長さ方向に対する折り曲げ動作により分離が許容される分離線を該長尺補強材の幅方向に形成するとともに、該分離線を長尺補強材の長さ方向に対して上記バンドとコーナー部との接触が回避されるサイズの補強材に分離可能な間隔に隔てて複数形成したことを特徴とする。
【０００７】
この発明によると、長尺の補強材を、バンドの幅に応じて任意位置に形成した分離線に沿って長さ方向に対して折り曲げ、被梱包物のコーナー部外面を保護するとともに、バンドとコーナー部との接触を回避するのに適したサイズの補強材に分離する。長尺の補強材から分離した補強材を折り曲げ線に沿って任意角度又は略直角に折り曲げ、被梱包物のコーナー部外面に装着した後、複数本の各バンドを、被梱包物の各コーナー部外面に装着した各補強材上に巻き付けて締付け固定する。
【０００８】
つまり、バンドの幅よりも幅広であって、バンドとコーナー部との接触が回避されるサイズに分離した一つの補強材又は一体的に連設した複数の各補強材を用いることにより、バンドとコーナー部との直接的な接触が回避され、バンドとコーナー部との接触面積よりも、補強材とコーナー部との接触面積が大きく、コーナー部外面に対して補強材が略均等に押し付けられるので、バンドの締付け力が補強材を介してコーナー部外面に対して略均等に分散して付与され、バンドの締付け力が被梱包物のコーナー部外面に対して部分的に集中して付与されることがなく、バンドの締付け力により被梱包物のコーナー部が変形、破損するのを防止する。
【０００９】
上記バンドは、例えば合成樹脂、金属、紙等の単一又は複合した材質からなるバンド、あるいは、紐、ロープ等で構成することができる。また、被梱包物は、例えばパレット上に積載された商品収容済みの段ボール箱、合成樹脂や金属製の容器、あるいは、多数枚のシートを積層してなる積層物等で構成することができる。
【００１０】
また、補強材の材質は、例えば段ボール箱等の被梱包物を保護する部分の強度に関係するが、厚紙であれば、略２ｍｍ〜略１０ｍｍ程度、例えばポリプロピレン（ＰＰ）等の合成樹脂であれば、略２ｍｍ〜略８ｍｍ程度の厚みを有するものであればよく、また、例えばポリプロピレン（ＰＰ）、ポリエチレンテレフタレート（ＰＥＴ）、ポリ塩化ビニル（ＰＶＣ）、あるいは、金属等の単一又は複合した材質で構成してもよい。また、補強材の厚さを部分的に変更してもよく、例えば所望する部分を厚くするか、薄くする等してもよい。
【００１１】
上記形状を有するものであれば、例えば図４の（イ）、（ロ）、（ハ）に示すような断面形状を有する補強材を、異形押出成形法により合成樹脂を連続的に押出成形して製造することもできる。また、上記合成樹脂に、下記の生分解性樹脂、木粉、紙粉等の材質を複合してもよい。
【００１２】
請求項２に記載した発明のバンド掛け用コーナー補強材は、上記請求項１に記載の構成と併せて、上記折り曲げ線の深さを、上記補強材自体の肉厚に対して略５％〜略８０％以内の残厚に設定したことを特徴とする。
【００１３】
この発明によると、折り曲げ線の深さは、補強材の材質や厚み等によって変動するが、作業者の手で簡単に折り曲げることが可能な深さに設定する必要がある。つまり、折り曲げ線を構成する底部の残厚が補強材全体の肉厚に対して略５％以下になると、亀裂や破れ等の破損が折り曲げ線に発生しやすくなる。また、残厚が略８０％以上になると、長尺補強材を折り曲げ線に沿って折り曲げたとき、補強材自体の復元力及び反発力により、被梱包物の各コーナー部外面と対応する角度に折り曲げることが難しく、折り曲げ線に連設された部分も変形してしまうので、上述の略５％〜略８０％以内の範囲に含まれる残厚に設定するのが好ましく、その範囲内であれば、補強材の材質が大幅に変動しても、折り曲げやすく、所定の強度を有する折り曲げ線となる。
【００１４】
請求項３に記載した発明のバンド掛け用コーナー補強材は、上記請求項１又は２に記載の構成と併せて、上記分離線を、上記補強材の折り曲げ動作により分離が許容されるミシン目で構成したことを特徴とする。
【００１５】
この発明によると、長尺の補強材を、任意位置に形成したミシン目に沿って折り曲げたとき、ミシン目を付設しなかった部分よりも、ミシン目を付設した部分の強度が弱いので、ミシン目に沿って補強材自体の折り曲げ分離が許容され、バンドが巻き付けられる被梱包物のコーナー部外面が被覆保護されるサイズに分離することができる。
【００１６】
請求項４に記載した発明のバンド掛け用コーナー補強材は、上記請求項１乃至３のいずれか一つに記載の構成と併せて、上記分離線を、上記補強材の長さ方向に対して、上記折り曲げ線に対して略斜め方向に交差するように形成したことを特徴とする。
【００１７】
この発明によると、補強材の分離線を、バンドの巻き付け方向と平行して形成した場合、補強材の分離線付近にバンドが巻き付けられたとき、バンドの締付け力により補強材が分離線に沿って分離されやすいが、バンドの巻き付け時において、バンドの巻き付け方向と補強材の分離線とが略斜め方向に交差すれば、バンドの締付け力が分離線に沿って付与されることがなく、バンドの締付け力により、補強材が分離線に沿って分離されるのを防止することができる。
【００１８】
つまり、分離線の交差角度を大きくすると、補強効果が高くなるが、補強材として不要な部分が多くなり、製造コストが高くなる。また、分離線の交差角度を小さくすると、補強材の折り曲げ側角隅部がバンドに近くなるため、補強効果が低くなり、補強材が分離線に沿って分離されやすくなるので、理想的な交差角度としては、略５度〜略３０度の範囲に含まれる角度が望ましい。
【００１９】
請求項５に記載した発明のバンド掛け用コーナー補強材は、上記請求項１乃至４のいずれか一つに記載の構成と併せて、上記分離線を、様々な幅を有するバンドに応じて分離可能な任意間隔に隔てて形成したことを特徴とする。
【００２０】
この発明によると、長尺の補強材を、例えば幅広、幅狭等の様々な幅を有するバンドに応じて任意位置に形成した各分離線に沿って折り曲げ分離し、バンドの幅に応じたサイズ（大中小）の一つの補強材を用いるか、同一又は異なるサイズの各補強材を一体的に連設したまま用いる。
【００２１】
請求項６に記載した発明のバンド掛け用コーナー補強材は、上記請求項１乃至５のいずれか一つに記載の構成と併せて、上記補強材を、例えば厚紙、生分解性樹脂、合成樹脂再生原料、紙＋合成樹脂再生原料、木粉＋合成樹脂、木粉＋生分解性樹脂、紙粉＋生分解性樹脂等の単一又は複合した材質で構成したことを特徴とする。
【００２２】
この発明によると、上記再生紙を用いるか、再生原料（生分解、合成樹脂）を用いる等して安価に製造することができるとともに、板状の厚紙をトムソン型打ち抜き機により打ち抜けば、多数の補強材を量産することができる。バンド巻き付け時において、例えばカッター、ハサミ、ノコギリ等の切断具を用いることなく、長尺補強材を分離線に沿って折り曲げるだけで、任意の長さを有する補強材に分離することができ、実用性が高く、被梱包物のコーナー部が変形、破損するのを防止する効果が得られる。
【００２３】
請求項７に記載した発明のバンド掛け用コーナー補強材は、上記請求項１乃至６のいずれか一つに記載の構成と併せて、上記補強材上に巻き付けられるバンドを中心として該バンドの長手側両縁部と対向する補強材表面の対称位置に、該バンドの巻き付けが許容される間隔に隔てて一対の凸状規制部を形成したことを特徴とする。
【００２４】
この発明によると、バンドを、補強材表面に形成した一対の凸状規制部の間に巻き付けるので、例えば運搬時、輸送時等において付与される衝撃や振動により、バンドの巻き付け位置が変位したり、補強材上からバンドが脱落しようとしても、バンドの長手側縁部が補強材表面に形成した一方又は他方の凸状規制部に当接するため、各凸状規制部の間に巻き付けられた位置にバンドが規制される。
【００２５】
請求項８に記載した発明のバンド掛け用コーナー補強材は、上記請求項１乃至７のいずれか一つに記載の構成と併せて、上記バンドと対向する補強材表面に、該バンドを補強材上に巻き付けられた状態に維持するのに必要な接触抵抗を付与する接触抵抗付与部を形成したことを特徴とする。
【００２６】
この発明によると、バンドを、被梱包物のコーナー部外面に装着した補強材表面の接触抵抗付与部に押付けながら巻き付け、接触抵抗付与部がバンドに対して付与する接触抵抗により、バンドを補強材上の任意部分に巻き付けられた状態に滑り止め保持する。
【００２７】
請求項９に記載した発明のバンド掛け用コーナー補強材は、上記請求項１乃至８のいずれか一つに記載の構成と併せて、上記被梱包物のコーナー部外面と対向する補強材裏面に、該コーナー部外面に対して補強材を装着した状態に固定する装着状態維持部を設けたことを特徴とする。
【００２８】
この発明によると、補強材の裏面を、被梱包物のコーナー部外面に密着させて、装着状態維持部の維持力により、該コーナー部外面に対して補強材を装着した状態に固定する。なお、上記接触抵抗付与部及び装着状態維持部は、例えば凹凸、突起、合成ゴム、接着剤、粘着剤、両面粘着テープ等で構成することができる。
【発明の効果】
【００２９】
この発明によれば、長尺の補強材を、バンドの幅に応じて被梱包物のコーナー部を保護するのに適したサイズに折り曲げ分離し、該コーナー部外面と対応する角度に折り曲げて装着した補強材上にバンドを巻き付けるので、バンドの締め付け力により、補強材がコーナー部外面に対して略均等に押し付けられ、バンドの締付け力が補強材を介してコーナー部外面に対して略均等に分散して付与されるので、バンドの締付け力が被梱包物のコーナー部外面に対して部分的に集中して付与されることがなく、被梱包物のコーナー部が変形、破損するのを防止することができ、所定の形状及び形態を維持することができる。また、長尺の補強材を、被梱包物のコーナー部を保護するのに適したサイズに手で簡単に分離することができるので、現場でのバンド巻き付け作業が容易に行える。
【発明を実施するための最良の形態】
【００３０】
この発明は、バンド巻き付け時において、被梱包物のコーナー部が変形、破損するのを防止し、所定の形状及び形態を維持することができるという目的を、長尺の補強材を、バンドの幅に応じて被梱包物のコーナー部を保護するのに適したサイズに折り曲げ分離し、該コーナー部外面に装着した補強材上にバンドを巻き付けて締付け固定することで達成した。
【実施例】
【００３１】
この発明の一実施例を以下図面に基づいて詳述する。  
図面は、バンド巻き付け時において、被梱包物のコーナー部が変形、破損するのを防止するために用いられるバンド掛け用コーナー補強材の第１実施例を示し、図１に於いて、このバンド掛け用コーナー補強材１は、バンドＢの巻き付け時に付与される締付け力でも変形しない程度の硬さ又は強度を有する厚紙で形成され、長尺に形成した補強材１の幅方向中央部に、被梱包物Ａのコーナー部Ａａ外面と対応する角度に折り曲げが許容される長さ方向から見て略Ｖ字状の折り曲げ線２を、該長尺補強材１の長さ方向に連続して形成している。
【００３２】
且つ、長尺補強材１の長さ方向に対する折り曲げ動作により分離が許容される分離線３を、該長尺補強材１の長さ方向と直交して幅方向に形成するとともに、分離線３を、長尺補強材１の長さ方向に対して所定等間隔に隔てて複数形成して、上記バンドＢの幅に応じて分離可能に設けている。
【００３３】
上記補強材１は、バンドＢの巻き付け時に付与される締付け力により、被梱包物Ａのコーナー部Ａａが変形、破損するのを防止するのに適した硬さ又は強度を有する厚紙で構成しているが、略２ｍｍ〜略１０ｍｍの範囲に含まれる厚みを有する板状の厚紙であればよい。
【００３４】
厚紙以外の材質として、例えばポリプロピレン（ＰＰ）、ポリエチレンテレフタレート（ＰＥＴ）、ポリ塩化ビニル（ＰＶＣ）、あるいは、金属等の単一又は複合した材質の合成樹脂で構成する場合、略２ｍｍ〜略８ｍｍの範囲に含まれる厚みを有するものであればよい。
【００３５】
また、例えば生分解性樹脂、合成樹脂再生原料、紙＋合成樹脂再生原料、木粉＋合成樹脂、木粉＋生分解性樹脂、紙粉＋生分解性樹脂等の単一又は複合した材質で構成することができる。上記再生紙を用いるか、再生原料（生分解、合成樹脂）を用いる等して製造すれば、安価に製造することができる。且つ、トムソン型打ち抜き機により打ち抜けば、多数の補強材１を量産することもできる。
【００３６】
前記折り曲げ線２の深さＨａは、補強材１の材質や厚み等によって変動するが、作業者の手で簡単に折り曲げることが可能な深さＨａに設定する必要があるので、実施例では補強材１自体の肉厚に対して略５％〜略８０％以内の残厚に設定している。
【００３７】
つまり、図２、図７にも示すように、折り曲げ線２を構成する底部の残厚Ｈｂが補強材１全体の肉厚に対して略５％以下になると、亀裂や破れ等の破損が折り曲げ線２に発生しやすくなる。また、残厚Ｈｂが略８０％以上になると、長尺補強材１を折り曲げ線２に沿って折り曲げたとき、補強材１自体の復元力及び反発力により、被梱包物Ａのコーナー部Ａａ外面と対応する角度に折り曲げることが難しく、折り曲げ線２に連設された部分も変形してしまうので、上述の略５％〜略８０％以内の範囲に含まれる残厚Ｈｂに設定するのが好ましく、その範囲内であれば、補強材１の材質が大幅に変動しても、折り曲げやすく、所定の強度を有する折り曲げ線２となる。
【００３８】
前記分離線３は、図３にも示すように、補強材１の長さ方向に対する折り曲げ動作により分離が許容されるミシン目で構成しているが、補強材１の裏面側に突き抜けるほど深く形成する必要がなく、補強材１の長さ方向に対する折り曲げ動作により分離が許容されるような深さ及び形状であればよい。なお、補強材１を構成する材質によっては容易に折り曲げ分離されるものもある。また、バンドＢが補強材１の分離線３付近に巻き付けられたときに、補強材１が容易に分離されるのを防止する方法としては、後述する実施例で説明する。
【００３９】
また、前記断面形状を有する補強材１であれば、例えば図４の（イ）に示す補強材１の両側端部及び折り曲げ線２の両側縁部に突条部が形成された段付き形状、（ロ）に示す中央部から両端部に向けて徐々に薄くなるテーパー形状、（ハ）に示す波形状を含む凹凸形状等のような断面形状を有する補強材１を、異形押出成形法により合成樹脂を連続的に押出成形して製造することもできる。
【００４０】
また、手による折曲げが容易であれば、前記折り曲げ線２を、図５の（ニ）に示す滑らかな曲線を有する１条の溝部が底部に形成された略Ｕ字形状、（ホ）に示す鋭角な１条の溝部が底部に形成された略逆三角形状、（ヘ）に示す滑らかな曲線を有する２条の溝部が底部に形成された略ダブルＵ字形状、（ト）に示す鋭角な２条の溝部が底部に形成された略Ｗ字形状、（チ）に示す曲率半径の小さな３条の溝部が底部に形成された略トリプルＵ字形状等のような断面形状に形成すか、あるいは、図６に示すように、折り曲げ線２を構成するミシン目のような折り溝を長さ方向に対して等間隔に隔てて斜めに配列して形成することもできる。
【００４１】
図示実施例は上記の如く構成するものにして、以下、バンド掛け用コーナー補強材１による補強方法を説明する。
【００４２】
先ず、図１、図３に示すように、長尺の補強材１を、バンドＢの幅に応じて任意位置に形成した分離線３に沿って長さ方向に対して折り曲げ、バンドＢが巻き付けられる被梱包物Ａのコーナー部Ａａ外面を保護するとともに、バンドＢとコーナー部Ａａとの接触が回避されるサイズの補強材１ａに分離する。
【００４３】
長尺の補強材１を分離線３に沿って折り曲げたとき、分離線３を付設しなかった部分よりも、分離線３を付設した部分の強度が弱いので、分離線３に沿って補強材１自体の折り曲げ分離が許容され、バンドＢの幅よりも幅広となるサイズに分離することができる。
【００４４】
なお、バンドＢの幅が各分離線３…の間隔よりも狭い場合、長尺の補強材１から分離したバンドＢとコーナー部Ａａとの接触が回避されるサイズの一つの補強材１ａを用いる。また、バンドＢの幅が各分離線３…の間隔よりも広い場合、二つの補強材１ａ，１ａ又は複数の各補強材１ａ…を一体的に連設したまま用いる。
【００４５】
次に、図７、図８にも示すように、長尺の補強材１から分離した各補強材１ａ…を、折り曲げ線２に沿って被梱包物Ａの各コーナー部Ａａ…外面と対応して略直角に折り曲げ、バンドＢが巻き付けられる被梱包物Ａの各コーナー部Ａａ…外面に装着した後、複数本の各バンドＢ…を、パレットＰに積載された被梱包物Ａの各コーナー部Ａａ…に装着した各補強材１ａ…上に巻き付けて締付け固定する。
【００４６】
各補強材１ａ…の介在により、複数の各バンドＢ…と、被梱包物Ａの各コーナー部Ａａ…外面との直接的な接触が回避され、バンドＢとコーナー部Ａａとの接触面積よりも、補強材１ａとコーナー部Ａａとの接触面積の方が大きく、コーナー部Ａａ外面に対して補強材１ａが略均等に面待遇で押し付けられるので、バンドＢの締付け力が補強材１ａを介して被梱包物Ａのコーナー部Ａａ外面に対して略均等に分散して付与され、バンドＢの締付け力が被梱包物Ａのコーナー部Ａａ外面に対して部分的に集中して付与されることがなく、バンドＢの締付け力により被梱包物Ａのコーナー部Ａａが変形、破損するのを防止することがなく、所定の形状及び形態を維持することができる。
【００４７】
また、長尺の補強材１を、被梱包物Ａのコーナー部Ａａを保護するのに適したサイズの補強材１ａに手で簡単に分離することができるので、現場でのバンド巻き付け作業が容易に行える。且つ、被梱包物Ａの外周に対して各バンドＢ…を強固に巻き付けることができるので、運搬時や搬送時において、費梱包物が荷崩れするのを防止することができる。
【００４８】
図９は、分離線３を、補強材１の長さ方向に対して、バンドＢの巻き付け方向に対して略斜め方向に交差するように形成したバンド掛け用コーナー補強材１の第２実施例を示し、補強材１の分離線３を、上記実施例のようにバンドＢの巻き付け方向と平行して形成した場合、補強材１の分離線３付近にバンドＢが巻き付けられたとき、バンドＢの締付け力により補強材１が分離線３に沿って分離されやすいが、バンドＢの巻き付け時において、バンドＢの巻き付け方向と補強材１の分離線３とが略斜め方向に交差すれば、バンドＢの締付け力が分離線３に沿って付与されることがなく、バンドＢの締付け力により、補強材１が分離線３に沿って分離されるのを防止することができるので、上記実施例と略同等の作用及び効果を奏することができる。
【００４９】
つまり、分離線３の交差角度を大きくすると、補強効果が高くなるが、補強材１として不要な部分が多くなり、製造コストが高くなる。また、分離線３の交差角度を小さくすると、補強材１の折り曲げ側角隅部がバンドＢに近くなるため、補強効果が低くなり、補強材１が分離線３に沿って分離されやすくなるので、理想的な交差角度としては、略５度〜略３０度の範囲に含まれる角度が望ましい。
【００５０】
図１０は、複数の各分離線３…を、様々な幅を有するバンドＢに応じて分離可能な任意間隔に隔てて形成したバンド掛け用コーナー補強材１の第３実施例を示し、補強材１を、例えば幅広、幅狭等の様々な幅を有するバンドＢに応じて、任意位置に形成した各分離線３…に沿って折り曲げ分離することができるので、バンドＢの幅に応じたサイズ（大中小）の一つの補強材１ａを用いるか、同一又は異なるサイズの各補強材１ａ…を一体的に連設したまま用いる等して、前記実施例と略同等の作用及び効果を奏することができる。
【００５１】
図１１は、補強材１上に巻き付けられるバンドＢを中心として、該バンドＢの長手側両縁部と対向する補強材１表面の対称位置に、該バンドＢを補強材１上に規制する一対の凸状規制部１ｂ，１ｂをバンドＢの巻き付けが許容される間隔に隔てて形成したバンド掛け用コーナー補強材１の第４実施例を示し、バンドＢを、補強材１表面に形成した一対の凸状規制部１ｂ，１ｂの間に巻き付けるので、例えば運搬時、輸送時等において付与される衝撃や振動により、バンドＢの巻き付け位置が変位したり、補強材１上からバンドＢが脱落しようとしても、バンドＢの長手側縁部が補強材１表面に形成した一方又は他方の凸状規制部１ｂに当接し、補強材１に形成した各凸状規制部１ｂ，１ｂの間に巻き付けられた位置にバンドＢが規制され、バンドＢの巻き付け位置が変位するのを防止することができるので、前記実施例と略同等の作用及び効果を奏することができる。
【００５２】
図１２は、バンドＢと対向する補強材１表面に、該バンドＢを補強材１上に巻き付けられた状態に維持するのに必要な接触抵抗を付与する凹凸状の接触抵抗付与部１ｃを形成したバンド掛け用コーナー補強材１の第５実施例を示し、バンドＢを、被梱包物Ａのコーナー部Ａａ外面に装着した補強材１表面の接触抵抗付与部１ｃに押付けながら巻き付けるので、接触抵抗付与部１ｃがバンドＢに対して付与する接触抵抗により、補強材１上の任意部分に巻き付けられた状態又は位置にバンドＢが滑り止め保持され、バンドＢの巻き付け位置が変位するのを防止することができるので、前記実施例と略同等の作用及び効果を奏することができる。
【００５３】
図１３は、被梱包物Ａのコーナー部Ａａ外面と対向する補強材１の裏面に、該コーナー部Ａａ外面に対して補強材１を装着した状態に固定するのに必要な粘着力を有する粘着剤４を付設したバンド掛け用コーナー補強材１の第６実施例を示し、補強材１の裏面を、被梱包物Ａのコーナー部Ａａ外面に密着させて、粘着剤４の粘着力により、該コーナー部Ａａ外面に対して補強材１を装着した状態に固定するので、例えば運搬時、輸送時等において付与される衝撃や振動により、補強材１の装着位置が変位することがなく、前記実施例と略同等の作用及び効果を奏することができる。
【００５４】
なお、粘着剤４は、補強材１の裏面全体又は裏面側に対して部分的に付設してもよい。また、粘着剤４以外に、例えば凹凸、突起、合成ゴム、接着剤、両面粘着テープ等の装着状態維持手段で構成することもできる。
【００５５】
この発明の構成と、上述の実施例との対応において、  
この発明の装着状態維持手段は、実施例の粘着剤４に対応するも、  
この発明は、上述の実施例の構成のみに限定されるものではなく、請求項に示される技術思想に基づいて応用することができ、多くの実施の形態を得ることができる。
【図面の簡単な説明】
【００５６】
【図１】第１実施例のバンド掛け用コーナー補強材を示す平面図。
【図２】補強材の折り曲げ線を示す幅方向拡大断面図。
【図３】補強材の分離方法を示す長さ方向断面図。
【図４】（イ）〜（ハ）は補強材の他の断面形状を示す幅方向断面図。
【図５】（ニ）〜（チ）は折り曲げ線の他の断面形状を示す拡大断面図。
【図６】折り曲げ線を斜め配列した折り曲げ線の他の平面形状を示す平面図。
【図７】補強材の装着状態を示す被梱包物のコーナー部拡大図。
【図８】バンドを被梱包物に巻き付けた状態を示す斜視図。
【図９】分離線を略斜めに形成した補強材の第２実施例を示す平面図。
【図１０】分離線を任意間隔に形成した補強材の第３実施例を示す平面図。
【図１１】凸状規制部付き補強材の第４実施例を示す平面図。
【図１２】接触抵抗付与部付き補強材の第５実施例を示す長さ方向断面図。
【図１３】装着状態を維持する補強材の第６実施例を示すコーナー部拡大図。
【符号の説明】
【００５７】
Ａ…被梱包物
Ａａ…コーナー部
Ｂ…バンド
１…バンド掛け用コーナー補強材
１ａ…補強材
１ｂ…凸状規制部
１ｃ…接触抵抗付与部
２…折り曲げ線
３…分離線
４…粘着剤
【図１】
2006327665.tif 000003
【図２】
2006327665.tif 000004
【図３】
2006327665.tif 000005
【図４】
2006327665.tif 000006
【図５】
2006327665.tif 000007
【図６】
2006327665.tif 000008
【図７】
2006327665.tif 000009
【図８】
2006327665.tif 000010
【図９】
2006327665.tif 000011
【図１０】
2006327665.tif 000012
【図１１】
2006327665.tif 000013
【図１２】
2006327665.tif 000014
【図１３】
2006327665.tif 000015